(57)【特許請求の範囲】
【請求項１】
ボディと、
カップを含む、液化二酸化炭素のカートリッジと、
前記ボディに設けられ、前記カートリッジから圧縮された二酸化酸素を受け取るためのガス吸気口と、
前記ガス吸気口から排気口に延在するガス流路と、
真空吸気口を有する真空ジェネレータであって、前記ガス流路は、前記真空ジェネレータを通過して延在し、前記ガス流路を通過するガス流が前記真空吸気口において低圧を生成する、ところの真空ジェネレータと、
集合吸気口および、前記真空吸気口に結合された排気口を有する集合コンテナと、
近位端および遠位端を有し、前記近位端は前記集合コンテナの前記集合吸気口に結合される、真空チューブと、
前記ガス流路を通過する前記ガス流を制御するための、前記ボディ内に配置されたバルブと、
前記バルブを開閉するためのバルブアクチュエータと
を備え、
前記バルブは、閉止位置からの前記バルブの最初の移動によって前記カートリッジの前記カップを突き刺すように構成された尖った先端を有するステムを有し、
前記ステムが前記カートリッジの前記カップを突き刺した後、前記バルブは前記バルブアクチュエータの動作によって開閉される、
ことを特徴とするポータブル吸引装置。
【請求項２】
前記先端は、前記先端を通じて、および、前記ガス流路内にガスを流すことができる、一つ以上の流路を有する、ことを特徴とする請求項１に記載のポータブル吸引装置。
【請求項３】
前記バルブはスピンドルを有し、前記バルブアクチュエータは、前記カートリッジの前記カップを突き刺した後、前記バルブを開放するべく前記スピンドル上に配置されるように動作する、ことを特徴とする請求項２に記載のポータブル吸引装置。
【請求項４】
前記バルブは、前記ステムと前記スピンドルとの間に配置されたボールを含む、
ことを特徴とする請求項３に記載のポータブル吸引装置。
【請求項５】
前記スピンドルの回りに配置されたＯリングをさらに備え、
前記バルブが閉止位置にあるとき、前記Ｏリングは、前記ボールと前記ボディ内のショルダとの間で圧縮される、
ことを特徴とする請求項４に記載のポータブル吸引装置。
【請求項６】
前記ステムの回りに延在するバネをさらに備え、
前記バルブアクチュエータを開放すると、前記バネが前記ボールを前記ステムから離すように促し前記Ｏリングと係合させ、その結果、前記ショルダ内で前記Ｏリングが圧縮されて前記バルブが閉止される、ことを特徴とする請求項５に記載のポータブル吸引装置。
【請求項７】
前記バルブと前記真空ジェネレータとの間の前記ガス流路内にフィルタをさらに備える、ことを特徴とする請求項６に記載のポータブル吸引装置。
【請求項８】
前記カートリッジは外側ねじを含むネックを有するシリンダであって、前記カップがネック内で開口部を覆っており、前記ボディは前記シリンダの前記外側ねじを受設する内側ねじを有する、ことを特徴とする請求項１から７のいずれか一項に記載のポータブル吸引装置。
【請求項９】
前記カートリッジの前記ネックが前記ボディの前記内側ねじと螺合するとき、シールを形成するよう、前記カートリッジの前記カップと前記ボディとの間で圧縮される第２のＯリングをさらに備える、請求項８に記載のポータブル吸引装置。
【請求項１０】
前記カートリッジの側面の周りに延在するスリーブをさらに備え、
圧縮ガスが前記カートリッジから排出される際に、熱が前記スリーブから前記カートリッジへ伝導する、ことを特徴とする請求項１から９のいずれか一項に記載のポータブル吸引装置。
【請求項１１】
前記スリーブは熱容量の大きな金属から形成される、ことを特徴とする請求項１０に記載のポータブル吸引装置。
【請求項１２】
前記スリーブは、高い熱伝導率を有する材料から形成される、ことを特徴とする請求項１０または１１に記載のポータブル吸引装置。
【請求項１３】
前記スリーブは、エラストマーマトリクス内に銅を含有する材料から形成される、ことを特徴とする請求項１０から１２のいずれか一項に記載のポータブル吸引装置。
【請求項１４】
前記カートリッジは、前記真空ジェネレータから排出されたガスの少なくとも一部が前記装置を出る前に前記カートリッジの側面に沿って方向付けられるように、前記ガス流路内に配置される、
ことを特徴とする請求項１１に記載のポータブル吸引装置。
【請求項１５】
前記装置を使用する際にその内部に前記カートリッジが配置される内部空間を有する覆いをさらに備え、前記内部空間は前記ガス流路の一部を形成する、ことを特徴とする請求項１４に記載のポータブル吸引装置。
【請求項１６】
前記覆いは前記ガス流路の前記排気口を形成する排気端を有する、ことを特徴とする請求項１５に記載のポータブル吸引装置。
【請求項１７】
前記覆いは前記カートリッジのベースを過ぎて突出する、ことを特徴とする請求項１５または１６に記載のポータブル吸引装置。
【請求項１８】
前記カートリッジの前記側面の周りに延在するスリーブをさらに備える、ことを特徴とする請求項１５から１７のいずれか一項に記載のポータブル吸引装置。
【請求項１９】
前記装置は、前記真空ジェネレータから放出されたガスが、前記スリーブと前記カートリッジとの間、および／または、前記スリーブと前記覆いとの間を通過するように構成される、ことを特徴とする請求項１６から１８のいずれか一項に記載のポータブル吸引装置。
【請求項２０】
前記スリーブは、それを通じてガスが前記スリーブから排出されるアパーチャを含む、ことを特徴とする請求項１９に記載のポータブル吸引装置。
【発明の詳細な説明】
【技術分野】
【０００１】
本願発明は、ポータブル吸引装置に関する。
【背景技術】
【０００２】
ポータブル手持ち吸引装置は、トラウマを患っている人の気道をクリーニングするために、および、人の気道が閉塞された怪我または他の医学的状態での応急処置および医療措置のために使用される。その装置の使用が必要な状況において、応急処置をする人は、心肺蘇生救急を遅滞なく進めるべく、すぐに動作する装置を持っていなければならない。
【０００３】
このタイプの装置として、本願人名義の国際出願ＰＣＴ／ＡＵ２０１１／００１４０８に開示されており、当該開示はここに参考文献として組み込む。
【０００４】
また、このタイプの装置は、少なくとも１０秒間、大気圧より少なくとも４０ｋＰａ以下の真空を安定して与える必要がある。しかし、大気圧以下４０ｋＰａから６０ｋＰａの範囲での真空が所望される。また、装置が延長してまたは繰り返し使用されるような状況において、長時間安定した真空を与えることが有利である。
【発明の概要】
【発明が解決しようとする課題】
【０００５】
したがって、上記の問題点を解決すること、および／または、少なくとも有用な代替品を与えることが所望される。
【課題を解決するための手段】
【０００６】
本願発明は、ポータブル吸引装置を与え、当該ポータブル吸引装置は、包囲されたソースから圧縮ガスを受け取るためのガス吸気口と、
ガス吸気口から排気口に延在するガス流路と、
真空吸気口を有する真空ジェネレータであって、ガス流路は、真空ジェネレータを通過して延在し、流路を通過するガス流が真空吸気口において低圧を生成する、ところの真空ジェネレータと、
集合吸気口および、真空吸気口に結合された排気口を有する集合コンテナと、
近位端および遠位端を有し、近位端は集合コンテナの集合吸気口に結合される、真空チューブと、
流路を通過するガス流量を制御するためのバルブであって、閉止位置からのバルブの移動によってソースを突き刺すように構成されたステムを有する、バルブと、
を有する。
【０００７】
ステムは、ソースを突き刺すための尖った先端を有する。先端は、当該先端を通じて、ガス流路内にガスを流すことができる、一つ以上の流路を有してよい。
【０００８】
いくつかの実施形態において、ソースは、カップ付きの金属シリンダであり、ステムはカップを突き刺すように構成される。
【０００９】
当該装置は、アクチュエータと、スピンドルを含むバルブとを有する。アクチュエータはバルブを開放するべくスピンドル上に配置されている。
【００１０】
スピンドルは、アクチュエータの最初の移動によってステムがソースを突き刺すように、ステムと協働する。
【００１１】
当該装置は、バルブと真空ジェネレータとの間のガス流路内にフィルタを有する。ひとつの実施形態において、フィルタは、焼結材料から成る。代替例において、フィルタはメッシュであってもよい。
【００１２】
好適には、ポータブル吸引装置は、さらに、ソースが内部に保持されるボディを有する。
【００１３】
好適には、シリンダは、外側ねじを含むネックを有し、カップがネック内で開口部を覆い、ボディはシリンダの外側ねじを受設するための内側ねじを有する。
【００１４】
また本願発明は、ポータブル吸引装置を与え、当該ポータブル吸引装置は、
包囲されたソースから圧縮ガスを受け取るためのガス吸気口であって、ソースはガス吸気口内に受設可能なネックおよび側面を有する、ガス吸気口と、
ガス吸気口から排気口まで延在するガス流路と、
真空吸気口を有する真空ジェネレータであって、ガス流路は真空ジェネレータを通じて延在し、流路を通過するガス流が真空吸気口において低圧を生成する、ところの真空ジェネレータと、
集合吸気口および、真空吸気口に結合された排気口を有する集合コンテナと、
近位端および遠位端を有し、近位端は集合コンテナの集合吸気口に結合される、真空チューブと、
ソースの側面の周りに延在するスリーブであって、圧縮ガスがソースから排出される際に、熱がスリーブからソースへ伝導する、スリーブと、
を有する。
【００１５】
好適には、スリーブは熱容量の大きな金属から形成される。代替的または付加的に、スリーブは、高い熱伝導率を有する材料から形成される。
【００１６】
ひとつの実施形態において、スリーブは、エラストマーマトリクス内に銅を含有する材料から形成される。
【００１７】
さらに本願発明は、ポータブル吸引装置を与え、当該ポータブル吸引装置は、
包囲されたソースから圧縮ガスを受け取るためのガス吸気口であって、ソースはガス吸気口内に受設可能なネック、側面およびベースを有する、ガス吸気口と、
ガス吸気口から排気口まで延在するガス流路と、
真空吸気口を有する真空ジェネレータであって、ガス流路は前記真空ジェネレータを通じて延在し、流路を通過するガス流が真空吸気口において低圧を生成する、ところの真空ジェネレータと、
集合吸気口および、真空吸気口に結合された排気口を有する集合コンテナと、
近位端および遠位端を有し、近位端は集合コンテナの集合吸気口に結合された、真空チューブと、
を有し、
ソースは、真空ジェネレータから排出されたガスの少なくとも一部が当該装置を出る前にソースの側面に沿って方向付けられるように、ガス流路内に配置される。
【００１８】
当該装置は、装置を使用する際にその内部にソースが配置される内部空間を有する覆いを含み、内部空間はガス流路の一部を形成する。
【００１９】
好適には、覆いはガス流路の排気口を形成する排気端部を有する。
【００２０】
好適には、覆いはソースのベースを過ぎて突出する。
【００２１】
いくつかの実施形態において、当該覆いは使用中に当該装置を保持するユーザ用のハンドルを形成する。
【００２２】
当該装置は、ソースの側面の周りに延在するスリーブを有する。当該装置は、真空ジェネレータから放出されたガスが、スリーブとソースとの間、および／または、スリーブと覆いとの間を通過するように構成される。
【００２３】
スリーブは、ベースの一部の周りに延在し、それを通じてガスがスリーブから排出されるアパーチャを含む。
【００２４】
本願発明をより理解するために、さまざまな実施形態が例示として図面を参照して説明される。
【図面の簡単な説明】
【００２５】
【図１】図１は、本願発明の実施形態に従うポータブル吸引装置の側面図である。
【図２】図２は、図１のポータブル吸引装置の垂直方向断面図である。
【図３】図３は、閉止位置でのアクチュエータを示す、図１のポータブル吸引装置のバルブの断面略示図である。
【図４】図４は、図３の領域ＩＶの拡大図である。
【図５】図５は、開放位置でのアクチュエータを示す、図３のバルブの断面略示図である。
【図６】図６は、図１のポータブル吸引装置の連続動作中の時間に対する圧力減少を示すグラフである。
【図７】図７は、図１のポータブル吸引装置の断続動作中の時間に対する圧力減少を示すグラフである。
【発明を実施するための形態】
【００２６】
図１から図３は、第１の実施形態に従うポータブル吸引装置１０を示す。装置１０は、閉止されたソースから圧縮ガスを受け取るためのガス吸気口１２を有する。本実施形態において、ソースは液化ガスを含むカートリッジ１４である。本実施形態において、液化ガスは二酸化炭素である。このタイプのカートリッジはしばしば、ＣＯ２カートリッジ、ＣＯ２バルブまたはＣＯ２シリンダと呼ばれる。
【００２７】
ガス流路１６が、ガス吸気口１２から排気口１７まで延在する。また、流路１６は、真空吸気口２０を有する真空ジェネレータ１８を通じて延在する。したがって、ガス流路１６を通過するガスは、真空吸気口２０で低圧を生成する。
【００２８】
装置１０はまた、集合吸気口２４および排気口２６を有する集合コンテナ２２を有し、それは、流路２８を通じて真空吸気口２０に結合されている。近位端３２および遠位端を有する真空チューブ３０が設けられる。近位端３２は集合コンテナ２２の集合吸気口２４に結合されている。
【００２９】
また、装置１０は流路１６を通過するガス流量を制御するためのバルブ３６を有する。バルブ３６は、閉止位置からのバルブの移動によりソースを突き刺すように構成されたステム３８を有する。バルブ３６の構成は、図３から図５を参照して詳細に説明される。
【００３０】
装置１０は、アクチュエータを有する。本実施形態において、それは、トリガー形式である。使用中、オペレータはトリガー４０を引き（図１に矢印Ａで示す方向）、それがバルブを開くことで、圧縮ガスがカートリッジ１４から流路１６内に放出される。流路１６を通じてガスが流れる間、負圧が真空チューブ３０の遠位端３４に与えられる。それは、心肺蘇生の準備中に患者の気道から液体を吸引するのに必要である。真空チューブ３０を通じて吸引される液体は装置１０の連続動作を妨げることなくコンテナ２２内に集められる。
【００３１】
図２および図３に示すように、真空ジェネレータ１８は、小さい直径のオリフィスを含むジェット４２を有する。圧縮ガスはジェット４２からコーン４４内に放出され、それは、一定の直径の第１部分および円錐形の第２部分を有するボアを形成する。ジェット４２の出口、および、コーン４４の開口部は離隔されている。ジェット４２の下流側のガス圧は大気圧以下であり、負圧（大気圧に比べ）を流路２８に生成することができる。
【００３２】
ジェット４２のチューブは、約０．８ｍｍから０．２５ｍｍの範囲の直径を有する。ジェット４２のチューブの粒子詰まりを防止するために、フィルタ４６がジェット４２の開口部に設けられている。本実施形態において、フィルタは焼結材料から形成される。
【００３３】
吸引装置１８の下流側で、ガス流路１６はチャンバ４８、フィルタ５０、および、覆い５６によって画成された内部空間へ開いた流路５２を有する。覆い５６はボディ４１の一部として形成されている。図２に示すように、装置１０を使用する際、カートリッジ１４は覆い５６内に配置される。覆い５６はガス流路１６の排気口１７を形成する排気端を有する。したがって、真空ジェネレータ１８から放出されたガスの少なくとも一部は、装置１０を出る前にカートリッジ１４の側面に沿って方向付けられる。この特定の実施形態において、真空ジェネレータ１８から放出されたすべてのガスが装置を出る前にカートリッジ１４の側面の全長に沿って方向付けられる。
【００３４】
真空ジェネレータ１８から放出されたガスは、カートリッジ１４から放出されたガス、および、真空チューブ３０および／または集合コンテナ２２を通じて真空ジェネレータ１８内に引かれた大気の混合ガスである。ガス流をカートリッジ１４の側面に沿って方向付けることにより、カートリッジ１４、したがってカートリッジ１４の内容物に伝導する熱が生じる。そして、この熱伝導はカートリッジ１４からガスが放出される間に生じるカートリッジ１４内部での温度低下を減少させる。結果として、圧力低下も最小化され、その結果装置１０の性能が改善する。
【００３５】
図２に示すように、覆い５６はカートリッジ１４のベースを過ぎて突出する。また、覆い５６は使用中に装置を掴むためのハンドルを形成する。
【００３６】
装置１０はまた、カートリッジ１４の側面の周りに延在するスリーブ５８を有する。カートリッジ１４がガスの放出中に冷えるため、熱はスリーブ５８からカートリッジ１４に伝達される。
【００３７】
スリーブ５８は、熱容量の大きい材料から形成される。特定の実施形態において、スリーブ５８は、エラストマーマトリクス内に銅を含む材料などの熱伝導率の高い材料から形成される。
【００３８】
理解できるように、カートリッジ１４およびスリーブ５８は使用する前はほぼ同じ温度である。したがって、熱は容易に、スリーブ５８からカートリッジ１４に伝導され、それは、放出中にカートリッジ１４内部の温度低下ひいては圧力低下を減少させる。その結果、装置１０の性能が改善する。
【００３９】
装置１０は、真空ジェネレータ１８から放出されたガスがスリーブ５８とカートリッジ１４との間、および／または、スリーブ５８と覆い５６との間を通過するように構成される。
【００４０】
図２に示すように、スリーブ５８はカートリッジ１４のベースの一部の周りに延在し、ガスがスリーブ５８を通過して排気されるアパーチャ５９を有する。
【００４１】
図４および図５は、吸引装置１０のバルブ３６の断面の略示図である。図４において、トリガー４０はバルブ３６の閉止に対応する位置で示され、図５において、トリガーはバルブ３６の開放に対応する位置で示されている。装置１０は、ガス流路１６の一部を画定するボディ４１を有し、その内部にバルブ３６が配置される。また、真空ジェネレータ１８はボディ４１の内部に配置される。
【００４２】
ステム３８は尖った先端部６４を有し、それはカートリッジ１４のカップを突き刺すように形成されている。バルブ３６はスピンドル６０を有し、トリガー４０はバルブ３６を開放するべくスピンドル６０上に位置する。トリガー４０は閉止位置および開放位置の間で、ピボット６２上で回転する。スピンドル６０はピボット６２に近接配置され、トリガー４０はステム３８がカートリッジ１４を突き刺すことができるという機械的利点を有する。
【００４３】
先端６４はステム３８を通じて逆に延在する逆流路６６および先端６４の先端から長手方向に伸長する長手方向流路６８を有する。長手方向流路６８はガスが先端６４を通じて流れ、ガス流路１６の内部および／またはそれを通過するように、逆流路６６内に開いている。
【００４４】
図４に示されるように、カートリッジ１４はステム３８によって突き刺されるカップを有する。図３から図５から明らかなように、閉止位置からのトリガーの最初の動きによって、バルブ３６は閉止位置から移動させられ、そうしてステム３８がカートリッジ１４のカップを突き刺す。
【００４５】
ステム３８とスピンドル６０との間にボール７０が配置されている。ステム３８およびスピンドル６０のそれぞれの端部は凹面形状であり、したがって、ボール７０はステム３８とスピンドル６０との間の移動伝達を助ける。Ｏリング７２がボール７０に隣接したスピンドル付近に配置されている。バルブ３６が閉止位置にあるとき、Ｏリング７２はボール７０とボディ４１内部のショルダ７４との間で圧縮される。そして、流路１６を通じたガスの流れを防止する。
【００４６】
ボール７０に隣接するスピンドルの端部は流路１６内に配置される。スピンドルは、バルブ３６が開放位置にあるとき、ガスがスピンドルのその部分の周りを流れることができ、かつ、流路１６に沿って流れ続けることができるように、形成されている。
【００４７】
トリガー４０を解放する際、ステム３８はカートリッジ１４のカップ内に刺されたままである。バルブ３６はステム３８の周りに延在するバネ３９（図４および図５に示す）を有する。トリガー４０を解放する際、バネはボール７０およびスピンドル６０をステム３８から離すように促し、それによって、バルブ３６は閉止しシールされる。
【００４８】
図２から図５に示すように、カートリッジ１４はボディ４１内に保持される。このため、カートリッジ１４は外側ねじを含むネックを有し、ボディ４１はカートリッジ１４の外側ねじを受設するための内側ねじを有する。大きいＯリング７６が、カートリッジ１４のカップとボディ４１との間で圧縮され、カートリッジ１４から覆い５６によって画成された内部空間へのガス漏れを防止するシールが形成される。
【００４９】
真空チューブ３０は、大人の口咽頭吸引を容易に実行できる長さを有する。また、真空チューブ３０は大人の咽頭まで、必要により、喉頭蓋まで達する長さを有する。これにより、集合コンテナ２２を真空チューブ３０の遠位端３４に近接させることができるという利点を有する。それによって、トリガー４０が押されてバルブ３６を開放するとき患者インターフェースで急速に真空を生成することができる。
【００５０】
真空チューブの長さは１００ｍｍから２８０ｍｍの範囲内にある。特定の実施形態において、真空チューブ３０の長さは約１５０ｍｍである。
【００５１】
また、装置１０の全体は、オペレータと使用する患者との間に装置全体が存在するように構成できる。これにより、使用の際に、装置全体がオペレータの視野の範囲内にあり、患者との間の邪魔なものを最小限としつつ、オペレータが装置１０を操作することができる。結果として、心肺蘇生の成功の可能性が増加する。
【００５２】
好ましい実施形態において、ポータブル吸引装置は、分解を禁止するために一体的に形成される。この目的のめ、真空チューブ３０は、集合コンテナ２２の集合吸気口４２、および、集合コンテナ２２の排気口２６に固定して取り付けられる流路２８を画定するボディ４１の部分に対して、固定して取り付けられる。したがって、装置は一度しか使用されない使い捨てを意図している。よって、真空チューブ２０およびボディ４１は集合コンテナ２２に固定される。また、カートリッジは、装置がユーザに与えられる際に設置されるよう意図されている。使用の際に体液が真空チューブを通じて集合コンテナ内に吸引されやすいという事実に鑑みて、装置の再利用を不可能にすることが所望される。
【００５３】
また、カートリッジは保存期間が長い。したがって、装置は、装置の性能を損なうことなく長期間にわたって不使用のまま保存することができる。よって、ポータブル吸引装置の実施形態は、簡単に再組立不可能な手持ち、使い捨て装置を与える。
【００５４】
ＣＯ２は、比較的低圧で液化し、コンパクトなコンテナ内部に大きな容積供給を与えるという利点を有する。しかし、いくつかの代替例において、カートリッジは、同様の低い可燃性および／または大気圧で比較的不活性であるＣＯ２以外の物質を含んでよい。いくつかの実施形態において、その物質は酸化窒素、窒素、希ガス（ヘリウムまたはアルゴンなど）、空気であってもよい。その物質はそれらの物質を混合したものであってもよい。
【００５５】
カートリッジは炭化水素または冷媒を含まない。
【００５６】
いくつかの代替例において、スリーブは、大きい熱容量を有する他の物質、例えば、アルミニウム、鋼、銀、および鉄から形成されてもよい。この材料は組み合わせて与えられてもよく、および／または、プラスチック、エラストマー等と混合されてもよい。
【００５７】
図６は、本願発明の実施形態に従うポータブル吸引装置の連続動作中の時間（横軸）に対する低下圧力（縦軸）を示すグラフである。縦軸の単位は大気圧からの低下圧力を水銀ミリメータ（ｍｍＨｇ）で示し、横軸の単位は秒を示す。
【００５８】
図６に示すように、吸引装置は約８秒間以内に約３７５ｍｍＨｇの圧力低下を与えることができる。それは、この種の装置に要求される、連続動作の１０秒以内に３００ｍｍＨｇ（約４０ｋＰａ）の圧力低下を達成するという国際基準を超えるものである。
【００５９】
加えて、国際基準は、この種の装置に喉頭吸引に使用するために１６０ｍｍＨｇの最低圧力が可能であることを要求する。グラフは、吸引装置が約１１７秒間（図５に示すポイントＸ）１６０ｍｍＨｇを超える圧力低下を与えることを示す。
【００６０】
図７は、本願発明の実施形態に従うポータブル吸引装置の断続動作中の時間（横軸）に対する圧力低下（縦軸）を示すグラフである。縦軸の単位は大気圧からの圧力低下を水銀ミリメータ（ｍｍＨｇ）で示し、横軸の単位は秒を示す。
【００６１】
図７に示すように、動作の最初の５秒間で、吸引装置は約３２０ｍｍＨｇの低下圧力に達した。それは、この種の装置に要求される、連続動作の１０秒以内に３００ｍｍＨｇ（約４０ｋＰａ）の圧力低下を達するという国際基準を超えるものである。
【００６２】
加えて、図に示すグラフは、このテストの吸引装置は約１７サイクルで（図７に示すポイントＹ）１６０ｍｍＨｇを超える圧力低下を与えることができた。これはテストサイクルに従う約４分の断続使用に対応する。
【００６３】
また、テストは、本願発明の実施形態に従うポータブル吸引装置が１０秒以内に２００ｍＬの嘔吐物を吸引することができることを示す。これは、この種の装置の国際基準に一致するものである。
【００６４】
図１に示す装置１０はトリガー４０を単純に操作することによって吸引のオンオフを迅速に切り替えることを容易にする人間工学的効果を有する。
【００６５】
本明細書および特許請求の範囲を通じて、特に断らないかぎり、“有する”、“含む”は記述された整数またはステップ、または、整数またはステップの集合を含むものと理解されるべきであり、他の整数またはステップ、または、整数またはステップの集合を排除することを意図したものではない。
【先行技術文献】
【特許文献】
【００６６】
【特許文献１】国際出願ＰＣＴ／ＡＵ２０１１／００１４０８号明細書
【図１】
0006453226.tif 000002
【図２】
0006453226.tif 000003
【図３】
0006453226.tif 000004
【図４】
0006453226.tif 000005
【図５】
0006453226.tif 000006
【図６】
0006453226.tif 000007
【図７】
0006453226.tif 000008